(57)【要約】      （修正有）【課題】太陽電池での発電が不十分な環境であっても，昼かよるかを適切に判定して，無線通信を途絶えることなく行う。【解決手段】無線通信装着物１において、モード判定部３０４は、太陽電池の発電により蓄電される蓄電回路の電圧を用いて無線通信部に無線通信させる昼モードにおいて、蓄電回路の電圧値が所定のモード閾電圧値を超過したか否かを判定する。時間判定部３０６は、蓄電回路の電圧値がモード閾電圧値以下になった場合、蓄電回路の電圧値がモード閾電圧値以下の状態での経過時間が所定の閾時間を超過したか否かを判定する。昼モード維持部３０５は、経過時間が閾時間以内で、且つ、蓄電回路の電圧値がモード閾電圧値を超過した場合、昼モードを維持する。モード切替部３０８は、経過時間が閾時間を超過した場合、昼モードから、夜間電池の電圧を用いて無線通信部に無線通信させる夜モードに切り替える。【選択図】図３
2019117521.tif 000002
【特許請求の範囲】
【請求項１】
太陽電池の発電により蓄電する蓄電回路の電圧を用いて無線通信部に無線通信させる昼モードにおいて、前記蓄電回路の電圧値が所定のモード閾電圧値を超過したか否かを判定するモード判定部と、
前記蓄電回路の電圧値が前記モード閾電圧値以下になった場合、前記蓄電回路の電圧値が前記モード閾電圧値以下の状態での経過時間が所定の閾時間を超過したか否かを判定する時間判定部と、
前記経過時間が前記閾時間以内で、且つ、前記蓄電回路の電圧値が前記モード閾電圧値を超過した場合、前記昼モードを維持する昼モード維持部と、
前記経過時間が前記閾時間を超過した場合、前記昼モードから、夜間電池の電圧を用いて前記無線通信部に無線通信させる夜モードに切り替えるモード切替部と
を備える無線通信装着物。
【請求項２】
電源が投入されていない状態において、前記蓄電回路の電圧値が所定の電源閾電圧値を超過したか否かを判定する電源判定部と、
前記蓄電回路の電圧値が前記電源閾電圧値を超過した場合、前記電源が投入されていない状態から、前記昼モードに切り替える電源切替部と
を備える
請求項１に記載の無線通信装着物。
【請求項３】
前記モード判定部は、前記夜モードにおいて、前記蓄電回路の電圧値が前記モード閾電圧値を超過したか否かを判定し、
前記モード切替部は、前記蓄電回路の電圧値が前記モード閾電圧値を超過した場合、前記夜モードから前記昼モードに切り替える
請求項１又は２に記載の無線通信装着物。
【請求項４】
前記経過時間が前記閾時間を超過した場合、予め設定された夜間使用情報が夜間使用を示すか否かを判定する夜間使用判定部
を更に備え、
前記モード切替部は、前記夜間使用情報が夜間使用を示す場合、前記昼モードから前記夜モードに切り替え、前記夜間使用情報が夜間不使用を示す場合、前記昼モードを停止する
請求項１−３のいずれか一項に記載の無線通信装着物。
【請求項５】
前記蓄電回路の電圧値が前記モード閾電圧値以下になった場合、前記蓄電回路の電圧値が前記モード閾電圧値以下になった時点から、前記蓄電回路の電圧値が前記モード閾電圧値以下であるという判定結果が所定の時間間隔で連続的になされると、当該判定結果の回数をカウントするカウント部
を更に備え、
前記時間判定部は、前記判定結果の回数が所定の閾回数を超過したか否かを判定することで、前記経過時間が前記閾時間を超過したか否かを判定する
請求項１−４のいずれか一項に記載の無線通信装着物。
【請求項６】
太陽電池の発電により蓄電される蓄電回路の電圧を用いて無線通信部に無線通信させる昼モードにおいて、前記蓄電回路の電圧値が所定のモード閾電圧値を超過したか否かを判定するモード判定ステップと、
前記蓄電回路の電圧値が前記モード閾電圧値以下になった場合、前記蓄電回路の電圧値が前記モード閾電圧値以下の状態での経過時間が所定の閾時間を超過したか否かを判定する時間判定ステップと、
前記経過時間が前記閾時間以内で、且つ、前記蓄電回路の電圧値が前記モード閾電圧値を超過した場合、前記昼モードを維持する昼モード維持ステップと、
前記経過時間が前記閾時間を超過した場合、前記昼モードから、夜間電池の電圧を用いて前記無線通信部に無線通信させる夜モードに切り替えるモード切替ステップと
を備える無線通信方法。
【発明の詳細な説明】
【技術分野】
【０００１】
本発明は、無線通信装着物及び無線通信方法に関する。
【背景技術】
【０００２】
近年、個人を特定する通信手段としてＢＬＥ（Ｂｌｕｅｔｏｏｔｈ（登録商標）  Ｌｏｗ  Ｅｎｅｒｇｙ）モジュール等の無線通信装置が利用されている。ＢＬＥモジュールは、通常、耐久性のあるケースの中に組み込まれ、当該ケースをユーザの制服のポケットに入れたり、キーホルダーに付けたりすることで、ユーザに携帯され、所持される。そのため、ＢＬＥモジュールが収容されるケースは小型化され、ＢＬＥモジュールの電源としてケース内に収容可能なボタン電池が利用されている。
【０００３】
ここで、携帯用の無線通信装置の電源に一次電池のボタン電池が利用されると、ボタン電池が電池切れになった場合、ボタン電池の交換作業が必要になる。一方、メーカとして、ケースの小型化の必要性から、ユーザによるボタン電池の交換の仕組みをケースに採用し難い。そこで、メーカがユーザから電池切れのケースを引き取った上で当該ケースのボタン電池を交換することが基本的に行われている。この場合、ユーザは自身でボタン電池を交換することが出来ない上、ユーザがメーカにボタン電池の交換を依頼しなければならず、その依頼作業が煩わしいという課題がある。又、メーカがボタン電池の交換作業を避けるために、ボタン電池の寿命（約３年）が到来すると、ユーザにケースをそのまま使い捨てさせるように構成している場合もあり、資源が無駄になるという課題があった。
【０００４】
そこで、そのような課題を解決するために、ボタン電池に寄らずに、電池交換が不要な太陽電池を利用する技術が存在する。例えば、特開２０１０−１１７９６１号公報（特許文献１）には、太陽電池と並列に充電用コンデンサを設け、かつ、表示制御用ＩＣが表示機能素子を駆動する際に、ウェイト処理により充電期間を置くなどタイミングを制御する表示機能付きＩＣカードが開示されている。これにより、表示回路の動作時においても電源電圧が表示制御用ＩＣの動作電圧以下に降下せず、安定した表示動作が実現出来るとしている。
【０００５】
又、特開２０１２−２５２６６６号公報（特許文献２）には、利用者が表示機能付きＩＣカードを取り出し、太陽電池に光が当たると、太陽電池が生成した電気エネルギーがコンデンサに蓄電される表示機能付きＩＣカードが開示されている。この表示機能付きＩＣカードでは、コンデンサの蓄電量が一定以上になると、電源電圧監視回路が駆動し、電源の電力残量を検出し、電力残量が所定値を下回る場合、電源電圧監視回路は、ＬＥＤを点灯させ、残量低下の旨を表示する。これにより、電源の電力残量の低下を、当該電源を使用することなく、使用者に通知することが可能となるとしている。
【先行技術文献】
【特許文献】
【０００６】
【特許文献１】特開２０１０−１１７９６１号公報
【特許文献２】特開２０１２−２５２６６６号公報
【発明の概要】
【発明が解決しようとする課題】
【０００７】
無線通信装置に太陽電池を電源として利用する場合、ユーザが太陽光等の光の当たっている場所に居る限りにおいて、太陽電池が発電するため、ボタン電池等の一次電池を使用することなく、無線通信に要する電力（電圧）を賄うことが出来る。
【０００８】
しかしながら、ユーザが日陰の場所に入ったり夜間になったりすると、基本的に太陽電池が発電不可能であるため、太陽電池の発電による電圧が低下し、無線通信が途絶えるという不具合が生じる。このような光が当たらない場所や環境では、ボタン電池等の一次電池を利用した方が、無線通信の途切れ防止の点で有効であるが、通常、ユーザが、太陽電池の発電が不可能な場所を判断して、その場所や環境では太陽電池から一次電池に切り替えるという作業を行うことは出来ない。更に、太陽電池では、受ける光量の低さによって一時的に発電による電圧が低下する瞬停が生じる。太陽電池の瞬停は、周囲の環境によって頻繁に生じ得るため、単に電圧の低下だけを監視しただけでは、太陽電池の瞬停が生じたのか、周囲の環境が本当に夜なのか判定することが出来ないという課題がある。このような課題に対して、上述した特許文献１、２に記載の技術は解決することが出来ない。
【０００９】
そこで、本発明は、前記課題を解決するためになされたものであり、太陽電池での発電が不十分な環境であっても、昼か夜かを適切に判定して、無線通信を途絶えることなく行うことが可能な無線通信装着物及び無線通信方法を提供することを目的とする。
【課題を解決するための手段】
【００１０】
本発明に係る無線通信装着物は、モード判定部と、時間判定部と、昼モード維持部と、モード切替部とを備える。モード判定部は、太陽電池の発電により蓄電される蓄電回路の電圧を用いて無線通信部に無線通信させる昼モードにおいて、前記蓄電回路の電圧値が所定のモード閾電圧値を超過したか否かを判定する。時間判定部は、前記蓄電回路の電圧値が前記モード閾電圧値以下になった場合、前記蓄電回路の電圧値が前記モード閾電圧値以下の状態での経過時間が所定の閾時間を超過したか否かを判定する。昼モード維持部は、前記経過時間が前記閾時間以内で、且つ、前記蓄電回路の電圧値が前記モード閾電圧値を超過した場合、前記昼モードを維持する。モード切替部は、前記経過時間が前記閾時間を超過した場合、前記昼モードから、夜間電池の電圧を用いて前記無線通信部に無線通信させる夜モードに切り替える。
【００１１】
本発明に係る無線通信方法は、上述と同様に、モード判定ステップと、時間判定ステップと、昼モード維持ステップと、モード切替ステップとを備える。
【発明の効果】
【００１２】
本発明によれば、太陽電池での発電が不十分な環境であっても、昼か夜かを適切に判定して、無線通信を途絶えることなく行うことが可能となる。
【図面の簡単な説明】
【００１３】
【図１】本発明の実施形態に係る無線通信装着物の構成の一例を示す概略図である。
【図２】本発明の実施形態に係る無線通信装着物の回路の一例を示す概略図である。
【図３】本発明の実施形態に係る無線通信装着物の機能ブロック図である。
【図４】本発明の実施形態に係る無線通信方法の実行手順を示すためのフローチャートである。
【図５】太陽電池の発電により蓄電回路の電圧値が閾電圧値を超過した場合の一例を示す図（図５Ａ）と、パラメータテーブルと、発信強度と発信回数と連続発信間隔と昼間発信間隔と夜間発信間隔との関係の一例を示す図（図５Ｂ）とである。
【図６】アドバタイズパケットテーブルの一例を示す図（図６Ａ）と、装着物側無線通信部が蓄電回路の電圧に基づいて無線通信する場合の一例を示す図（図６Ｂ）とである。
【図７】ユーザが一時的に日陰の場所に入って日向の場所に戻った場合の一例を示す図（図７Ａ）と、ユーザの周囲の環境が夜間になった場合の一例を示す図（図７Ｂ）とである。
【図８】ユーザの周囲の環境が夜間から朝になった場合の一例を示す図（図８Ａ）と、夜間で夜間電池を不使用にする場合の一例を示す図（図８Ｂ）とである。
【発明を実施するための形態】
【００１４】
以下に、添付図面を参照して、本発明の実施形態について説明し、本発明の理解に供する。尚、以下の実施形態は、本発明を具体化した一例であって、本発明の技術的範囲を限定する性格のものではない。
【００１５】
本発明に係る無線通信装着物１は、図１に示すように、太陽電池１０と、蓄電回路１１と、夜間電池１２と、装着物側無線通信部１３とを備える。
【００１６】
無線通信装着物１に特に限定は無いが、例えば、無線通信装着物１は、ユーザ（装着者）の衣服（例えば、制服）のポケットに入れられる装着物であるよりも、常に光が照射されるような位置（例えば、ユーザの制服の表面に露出した位置）に取り付けられる装着物であると好ましく、例えば、名札、エンブレム、ワッペン等を挙げることが出来る。
【００１７】
太陽電池１０の構成に特に限定は無く、太陽電池１０は、光を受けると、発電する部材であれば、素子であってもモジュールであっても良い。太陽電池１０は、昼間の光が照射される環境であっても、曇り等、一時的に、装着物側無線通信部１３が無線通信を行うための十分な電圧に対応する光量を得ることが出来ず、無線通信が途切れる状況も想定される。装着物側無線通信部１３は、太陽電池１０への光量が一時的に低下しても、動作するものの、その動作は不安定であり、無線通信の途切れに繋がる。そのため、太陽電池１０に蓄電回路１１を設け、蓄電回路１１は、太陽電池１０で発電した電力（電圧）を蓄積する。蓄電回路１１は、太陽電池１０への光量が一時的に低下した場合の電圧保持手段（リカバリー）として利用する。蓄電回路１１の構成に特に限定は無く、例えば、蓄電回路１１は、太陽電池１０内に組み込まれていても、太陽電池１０と別個に設けられていても良い。
【００１８】
夜間電池１２は、夜間に使用される電池を意味し、一次電池を含む。装着物側無線通信部１３は、蓄電回路１１又は夜間電池１２からの電圧に基づいて無線通信を行う。
【００１９】
ここで、装着物側無線通信部１３の構成と無線通信の形態に特に限定は無い。装着物側無線通信部１３は、例えば、Ｂｌｕｅｔｏｏｔｈ（登録商標）  Ｌｏｗ  Ｅｎｅｒｇｙ（ＢＬＥ）を用いた近距離無線通信部（ＢＬＥモジュール）を挙げることが出来る。尚、ＢＬＥモジュールの通信距離は、数ｍ〜数十ｍである。
【００２０】
無線通信装着物１は、無線電波を発信したり受信したりして、周辺に存在する無線通信装置２と無線通信可能である。ここで、無線通信装置２は、装置側無線通信部２０を備え、装置側無線通信部２０の構成と無線通信の形態は、装着物側無線通信部１３に対応付けられる。装着物側無線通信部１３がＢＬＥモジュールの場合、装置側無線通信部２０はＢＬＥモジュールとなる。
【００２１】
無線通信装着物１と無線通信装置２とで構成される無線通信システムは、非接触の無線通信により無線通信装着物１のユーザ個人を特定することが可能であり、そのシステムのアプリケーションは、下記のように構成することが出来る。
【００２２】
例えば、無線通信装着物１と無線通信装置２との無線通信により、無線通信装着物１のユーザ個人が特定されると、無線通信装置２にネットワーク２１を介して通信可能に接続された端末装置２２が、無線通信装置２のＧＰＳユニットや予め設定された位置情報に基づいて無線通信装着物１の位置を算出し、無線通信装着物１を携帯するユーザの所在を管理する所在管理アプリケーションを構成することが出来る。又、端末装置２２が、無線通信装置２のＧＰＳユニットや位置情報等に基づいて無線通信装着物１の位置を経時的に算出して、無線通信装着物１の経路の探索を行い、無線通信装着物１を携帯する老人の徘徊を監視する徘徊老人向けの個人監視アプリケーションを構成することが出来る。
【００２３】
又、無線通信装着物１と無線通信装置２との無線通信により、無線通信装着物１のユーザ個人が認証されると、無線通信装置２に通信可能に接続された入退出ゲート２３が、認証された無線通信装着物１を携帯するユーザにゲートを開放し、認証されなかった無線通信装着物１を携帯するユーザにゲートを閉塞し、非接触ＩＣカードをカードリーダにかざすことなくユーザのゲートの通行を可能とするハンズフリーアプリケーションを構成することが出来る。
【００２４】
ここで、無線通信装着物１の回路は、図２に示すように、太陽電池１０と蓄電回路１１と夜間電池１２とに、スイッチとダイオードとを組み合わせることで構成される。太陽電池１０の第一（例えば、プラス）の配線１０ａは、装着物側無線通信部１３等の制御部への電源ラインＶに電気的に接続され、第二（例えば、マイナス）の配線１０ｂは、グラウンドラインＧＬ（接地点）に電気的に接続されている。
【００２５】
蓄電回路１１の第一（例えば、プラス）の配線１１ａは、太陽電池１０と同様に、電源ラインＶに電気的に接続され、蓄電回路１１の第二（例えば、マイナス）の配線１１ｂは、グランドラインＧＬに電気的に接続され、蓄電回路１１は、太陽電池１０と並列に接続される。これにより、太陽電池１０で発電した電力が蓄電回路１１に自動的に供給され、蓄電回路１１の電圧が昇圧される。又、蓄電回路１１の電圧が電源ラインＶに印加され、蓄電回路１１の電力が電源ラインＶに供給される。蓄電回路１１の構成に特に限定は無いが、例えば、コンデンサを採用することが出来る。
【００２６】
又、蓄電回路１１には、蓄電回路１１の電圧（電力）の有無により点灯するＬＥＤ等の点灯部１１ｃが設けられる。これにより、ユーザに蓄電回路１１の電圧の存在を知らせることが出来る。又、蓄電回路１１は、第一の配線１１ａ及び第二の配線１１ｂと異なる第三の配線１１ｄにより、モニタラインＭＬに電気的に接続される。これにより、ユーザに蓄電回路１１の電圧（電力）を量的に知らせることが出来る。
【００２７】
夜間電池１２の第一（例えば、プラス）の配線１２ａは、太陽電池１０又は蓄電回路１１の第一の配線１０ａ、１１ａと電源ラインＶとの間の位置に電気的に接続され、夜間電池１２の第二（例えば、マイナス）の配線１２ｂは、グランドラインＧＬに電気的に接続されることで、夜間電池１２は、太陽電池１０及び蓄電回路１１と並列に接続される。これにより、夜間電池１２の電圧が電源ラインＶに印加され、夜間電池１２の電力が電源ラインＶに供給される。
【００２８】
ここで、無線通信装着物１の回路は、メインスイッチ回路１４を更に備え、メインスイッチ回路１４の第一（例えば、プラス）の配線１４ａは、太陽電池１０又は蓄電回路１１の第一の配線１０ａ、１１ａと電源ラインＶとの間の位置に電気的に接続され、メインスイッチ回路１４の第二（例えば、マイナス）の配線１４ｂは、グランドラインＧＬに電気的に接続されることで、メインスイッチ回路１４は、蓄電回路１１と並列に接続される。これにより、蓄電回路１１の電圧がメインスイッチ回路１４に印加され、メインスイッチ回路１４は、蓄電回路１１の電圧により駆動可能となる。
【００２９】
又、メインスイッチ回路１４の第一の配線１４ａと電源ラインＶとの間の位置には、第一のスイッチ１４ｃと第一のダイオード１４ｄとが直列に接続され、第一のスイッチ１４ｃの着脱は、メインスイッチ回路１４から伸びた第一の配線１４ａ及び第二の配線１４ｂと異なる第三の配線１４ｅの制御信号（Ｈｉ信号又はＬｏｗ信号）の入力により行われる。これにより、蓄電回路１１の電圧によりメインスイッチ回路１４が動作し、制御信号の入力に基づいて、電源ラインＶに対する太陽電池１０及び蓄電回路１１の電気的接続及び電気的切断を制御することが出来る。又、第一のダイオード１４ｄは、太陽電池１０及び蓄電回路１１の電流が電源ラインＶへ流れる向きに配置され、太陽電池１０及び蓄電回路１１の電流を整流する。
【００３０】
又、夜間電池１２の第一の配線１２ａと電源ラインＶとの間の位置には、第二のスイッチ１２ｃと第二のダイオード１２ｄとが直列に接続され、第二のスイッチ１２ｃの着脱は、電源ラインＶに接続された制御部からのフィードバックラインＦＬのフィードバック信号（Ｈｉ信号又はＬｏｗ信号）の入力により行われる。これにより、電源ラインＶからの電圧により制御部が動作し、フィードバック信号の入力に基づいて、電源ラインＶに対する夜間電池１２の電気的接続及び電気的切断を制御することが出来る。又、第二のダイオード１２ｄは、夜間電池１２の電流が電源ラインＶへ流れる向きに配置され、夜間電池１２の電流を整流する。
【００３１】
尚、無線通信装着物１は、図示しないＣＰＵ、ＲＯＭ、ＲＡＭ等を内蔵しており、ＣＰＵは、例えば、ＲＡＭを作業領域として利用し、ＲＯＭ等に記憶されているプログラムを実行する。又、後述する各部についても、ＣＰＵがプログラムを実行することで当該各部を実現する。
【００３２】
次に、図３、図４を参照しながら、本発明の実施形態に係る構成及び実行手順について説明する。先ず、管理者が、特定のユーザ個人の識別情報を通信情報にする無線通信装着物１（例えば、無線通信名札）をユーザに対して用意する。無線通信名札１は、電源が投入されていない状態である。ユーザは、管理者から無線通信名札１を受け取ると、これを自己の衣服（例えば、制服の胸ポケット）に装着する。
【００３３】
そして、ユーザは、太陽光等の光が照射される日向の場所に居ると、図５Ａに示すように、制服の胸ポケットに装着された無線通信名札１の太陽電池１０は光を受け、発電を開始する。太陽電池１０が発電すると、その電力は蓄電回路１１に蓄積され、蓄電回路１１の電圧を昇圧させる。
【００３４】
すると、無線通信名札１の電源判定部３０１は、無線通信名札１に電源が投入されていない状態において、太陽電池１０の発電により蓄電する蓄電回路１１の電圧値Ｖが所定の電源閾電圧値Ｖｐ（例えば、３．３Ｖ等）を超過したか否かを判定する（図４：Ｓ１０１）。
【００３５】
ここで、電源閾電圧値Ｖｐは、無線通信名札１のメーカや管理者により適宜設定される。例えば、電源が投入されていない状態から電源が投入された状態になって、装着物側無線通信部１３が最初に無線通信を行う際に、ＣＰＵがメモリを書き写す作業があり、その時に高めの電圧値が必要であるため、無線通信に要する電圧値よりも高めの電圧値に設定されると好ましい。これにより、蓄電回路１１の電圧値Ｖが電源閾電圧値Ｖｐを超過した段階で、装着物側無線通信部１３に無線通信を確実に行わせることが可能となる。
【００３６】
又、電源判定部３０１の判定方法に特に限定は無い。例えば、電源判定部３０１は、メインスイッチ回路１４として機能し、蓄電回路１１の電圧が昇圧されると、メインスイッチ回路１４に印加され、電源判定部３０１が駆動する。電源判定部３０１は、先ず、蓄電回路１１の電圧値Ｖを取得し、次に、所定のメモリに予め記憶された電源閾電圧値Ｖｐを取得し、更に、取得した電圧値Ｖが、取得した電源閾電圧値Ｖｐを超過したか否かを判定する。尚、電圧判定は、メインスイッチ回路１４とダイオードとＣＰＵのプログラムとの協働により実現される。以下、同様である。
【００３７】
ここで、蓄電回路１１での蓄電が不十分な場合は、蓄電回路１１の電圧値Ｖは電源閾電圧値Ｖｐ以下となる。この場合は、電源判定部３０１は、太陽電池１０での発電が不十分であると判定し（図４：Ｓ１０１ＮＯ）、太陽電池１０へ照射される光量が十分になるのを待って、Ｓ１０１へ戻る。つまり、電源判定部３０１は、電圧値Ｖが電源閾電圧値Ｖｐ以下である状態において、前記判定を所定の周期で繰り返す。
【００３８】
そして、太陽電池１０への光の照射が継続し、蓄電回路１１の電圧が昇圧され、蓄電回路１１の電圧値Ｖが電源閾電圧値Ｖｐを超過すると、電源判定部３０１は、太陽電池１０での発電が十分であると判定する（図４：Ｓ１０１ＹＥＳ）。
【００３９】
すると、電源判定部３０１は、メインスイッチ回路１４において、制御信号を第一のスイッチ１４ｃに入力することで、第一のスイッチ１４ｃを電気的に接続し、これにより、電源ラインＶに電圧が印加される。そして、無線通信名札１のカウント部３０２は、カウント値を「０」に設定（リセット）し（図４：Ｓ１０２）、無線通信名札１の電源切替部３０３は、電源が投入されていない状態から、蓄電回路１１の電圧を用いて装着物側無線通信部１３に無線通信させる昼モードに切り替える（図４：Ｓ１０３）。
【００４０】
ここで、電源切替部３０３の昼モードの切替方法に特に限定は無い。例えば、昼モード切替部３０３は、メインスイッチ回路１４として機能し、制御信号を第一のスイッチ１４ｃに入力することで、第一のスイッチ１４ｃの電気的接続を維持する。又、昼モード切替部３０３は、フィードバックラインＦＬを経由して第二のスイッチ１２ｃにフィードバック信号を入力することで、第二のスイッチ１２ｃを電気的に切断（遮断）する。
【００４１】
これにより、電源切替部３０３は、装着物側無線通信部１３の電源ラインＶに太陽電池１０及び蓄電回路１１の第一の配線１０ａ、１１ａを電気的に接続し、装着物側無線通信部１３の電源を蓄電回路１１に切り替えることが可能となる。その結果、十分に蓄電された蓄電回路１１の電圧が装着物側無線通信部１３に印加され、装着物側無線通信部１３を起動させることが出来る。又、電源切替部３０３は、夜間電池１２を装着物側無線通信部１３の電源ラインＶに電気的に切断した状態にすることで、夜間電池１２の電力消費を防止することが出来る。
【００４２】
さて、無線通信名札１の装着物側無線通信部１３が起動すると、蓄電回路１１の電圧に基づいて無線通信を行う（図４：Ｓ１０４）（昼モード）。
【００４３】
ここで、装着物側無線通信部１３の無線通信の形態に特に限定は無い。本発明の実施形態では、無線通信名札１の装着物側無線通信部１３を、無線電波（ビーコン）を発信するビーコン発信機のＢＬＥモジュールとし、無線通信装置２の装置側無線通信部２０を、発信されたビーコンを受信するビーコン受信機のＢＬＥモジュールとした場合について説明するが、他の実施形態として、装着物側無線通信部１３をビーコン受信機のＢＬＥモジュールでとし、装置側無線通信部２０をビーコン発信機のＢＬＥモジュールとしても構わない。
【００４４】
先ず、装着物側無線通信部１３は、所定のメモリに予め記憶されたパラメータテーブルを参照する。ここで、パラメータテーブル５００は、図５Ｂに示すように、無線通信に関するパラメータ５０１に、当該パラメータ５０１の値５０２を関連付けて記憶している。無線通信に関するパラメータ５０１は、例えば、発信強度と、発信回数と、連続発信間隔と、昼間発信間隔と、閾回数（計数値）と、夜間使用情報（夜間使用フラグ）と、夜間発信間隔とを含み、メーカ又は管理者により適宜設定可能である。
【００４５】
発信強度とは、装着物側無線通信部１３が発信するビーコンの電波強度を意味し、発信回数とは、装着物側無線通信部１３が１回の発信処理で発信するビーコンの回数を意味する。連続発信間隔とは、装着物側無線通信部１３が１回の発信処理で発信するビーコンの時間間隔を意味し、昼間発信間隔とは、装着物側無線通信部１３が昼間で行う発信処理の時間間隔を意味する。閾回数とは、判定結果の回数（カウント値）との比較に用いる閾値を意味する（後述）。夜間使用情報とは、夜間使用を示すか否か（夜間電池１２を使用するか否か）の情報を意味し（後述）、夜間発信間隔とは、装着物側無線通信部１３が夜間で行う発信処理の時間間隔を意味する。発信強度と発信回数と連続発信間隔と昼間発信間隔と夜間発信間隔との関係は、図５Ｂに示す。
【００４６】
パラメータ５０１の値５０２は、アプリケーションの種類に応じて適宜設定される。所在管理アプリケーションや個人監視アプリケーションでは、ビーコンを頻繁に発信する必要が無いため、例えば、数分間に３回の無線通信（ビーコン発信）になるように設定される。一方、ハンズフリーアプリケーションでは、入退出ゲートの通過の際に、ユーザが入退出ゲートで停滞することを防止するために、ビーコンを頻繁に発信する必要があることから、例えば、１秒に１回の無線通信や１秒に３回の無線通信になるように設定される。このように、パラメータ５０１の値５０２を適宜設計することで、アプリケーションに適した無線通信を行う無線通信名札１を構成することが出来る。
【００４７】
ここで、昼間発信間隔及び夜間発信間隔が短い程、装着物側無線通信部１３が消費する電力が増加する。夜間では、太陽電池１０による発電が困難であり、夜間電池１２の使用が必要であるものの、夜間電池１２の消費電力を増加させると、無線通信名札１の電池交換や廃棄を促進する。そこで、例えば、夜間発信間隔を昼間発信間隔よりも比較的長く設定することで、夜間での装着物側無線通信部１３の消費電力を、昼間での装着物側無線通信部１３の消費電力よりも極端に抑え、無線通信名札１の電池交換や廃棄の発生を防止し、更に、夜間での無線通信の途絶えを確実に防止することが出来る。
【００４８】
特に、個人監視アプリケーションでは、夜間を含む長時間での老人の徘徊を監視する必要があることから、頻繁に無線通信するよりも、無線通信の消費電力を出来るだけ抑えて、長時間にわたって無線通信が途絶えないようにした方が好ましい。このようなアプリケーションでは、夜間発信間隔を非常に長時間に設定することで、長時間での老人の徘徊における経路を確実に探索することが出来る。
【００４９】
さて、装着物側無線通信部１３は、パラメータテーブル５００のパラメータ５０１のうち、発信強度と発信回数と連続発信間隔と昼間発信間隔とのそれぞれの値５０２を取得し、取得した値５０２を用いて無線通信のビーコンを発信する。
【００５０】
ここで、ビーコンに含まれる通信情報に特に限定は無い。本発明の実施形態では、例えば、アドバタイズパケットテーブルを用いることで、メーカ又は管理者により通信情報を設定しても良い。先ず、装着物側無線通信部１３は、所定のメモリに予め記憶されたアドバタイズパケットテーブルを参照する。ここで、アドバタイズパケットテーブル６００は、図６Ａに示すように、通信情報に含まれるアドバタイズパケットのパラメータ６０１に、当該パラメータ６０１の値６０２を関連付けて記憶している。アドバタイズパケットのパラメータ６０１は、例えば、カンパニーＩＤと、アプリケーションＩＤと、ＵＩＤ（Ｕｓｅｒ  Ｉｄｅｎｔｉｆｉｅｒ）とを含み、メーカ又は管理者により適宜設定可能である。
【００５１】
カンパニーＩＤとは、無線通信名札１に関係する企業の識別情報を意味し、数バイト（例えば、５バイト〜６バイト）の情報である。アプリケーションＩＤとは、無線通信名札１に関係するアプリケーションの識別情報を意味し、数バイト（例えば、７バイト）の情報である。ＵＩＤとは、無線通信名札１のユーザに関係する識別情報を意味し、数バイト〜十数バイト（例えば、９バイト〜１８バイト）の情報である。ＵＩＤは、無線通信名札１の名札ＩＤに対応する。メーカ又は管理者は、アドバタイズパケットテーブル６００のパラメータ６０１の値６０２を適宜設定することで、無線通信名札１で発信したい通信情報を設定することが出来る。
【００５２】
尚、パラメータテーブル５００の値５０２とアドバタイズパケットテーブル６００の値の設定変更は、例えば、メーカ又は管理者が無線通信名札１のメモリに対してＮＦＣ（Ｎｅａｒ  Ｆｉｅｌｄ  Ｃｏｍｍｕｎｉｃａｔｉｏｎ）通信を行うことでなされる。
【００５３】
ここで、セキュリティの観点から、ＵＩＤの値を記憶させる場合、読取オンリーの指定にすることで、無線通信名札１の名札ＩＤの改ざんを防止することが出来る。又、セキュリティの観点から、ＵＩＤの値を秘密鍵で暗号化しておき、装着物側無線通信部１３のビーコンを受信する装置側無線通信部２０に、この秘密鍵を搭載して、装置側無線通信部２０が、受信したビーコンのＵＩＤの値を秘密鍵で復号化するように構成する。これにより、無線通信名札１の名札ＩＤの偽物及び大量複製を確実に防止することが出来る。尚、ＵＩＤの値は、端末装置２２等のデータベースにおいて、ユーザの個人ＩＤに関連付けられることで、無線通信名札１が故意に流出した場合や盗難が生じた場合の追跡手段として活用することも出来る。
【００５４】
さて、装着物側無線通信部１３は、アドバタイズパケットテーブル６００パラメータ６０１のカンパニーＩＤとアプリケーションＩＤとＵＩＤの値６０２を取得し、取得した値６０２を用いて通信情報を含むビーコンを発信する。
【００５５】
そして、装着物側無線通信部１３は、前記発信強度のビーコンを前記連続発信間隔で前記発信回数だけ発信すると、発信状態から待ち状態となる（図４：Ｓ１０５）。
【００５６】
待ち状態は、昼間発信間隔だけ継続され、待ち状態になってからの経過時間が昼間発信間隔を経過すると、次に、無線通信名札１のモード判定部３０４は、無線通信名札１に電源が投入された後に昼モードにおいて、蓄電回路１１の電圧値Ｖが所定のモード閾電圧値Ｖｍ（例えば、３．０Ｖ等）を超過したか否かを判定する（図４：Ｓ１０６）。
【００５７】
ここで、モード閾電圧値Ｖｍは、無線通信名札１のメーカや管理者により適宜設定されるが、上述した電源閾電圧値Ｖｐと同一であっても異なっていても構わない。無線通信名札１の電源が投入された後では、無線通信が正常に動作すれば良いことから、モード閾電圧値Ｖｍは、無線通信に要する電圧値に設定されると好ましい。これにより、無線通信に要する電圧値に着目して、蓄電回路１１の電圧を監視することが出来る。
【００５８】
又、モード判定部３０４の判定方法に特に限定は無く、例えば、モード判定部３０４は、蓄電回路１１の電圧値Ｖが、所定のメモリに予め記憶されたモード閾電圧値Ｖｍを超過したか否かを判定する。
【００５９】
ここで、図６Ｂに示すように、ユーザが、朝や昼間において日向の場所に居る場合、太陽電池１０の発電は継続するため、蓄電回路１１の電圧値Ｖはモード閾電圧値Ｖｍを超過した状態を維持する。この場合は、モード判定部３０４は、ユーザが日向の場所に滞在していると判定し（図４：Ｓ１０６ＹＥＳ）、Ｓ１０２に戻って、カウント部３０２は、カウント値を「０」に設定する（図４：Ｓ１０２）。そして、無線通信名札１の昼モード維持部３０５は、昼モードを維持する（図４：Ｓ１０３）。
【００６０】
ここで、昼モード維持部３０５の昼モードの維持方法に特に限定は無い。例えば、昼モード維持部３０５は、制御信号の入力により、第一のスイッチ１４ｃの電気的接続を維持するとともに、フィードバック信号の入力により、第二のスイッチ１２ｃの電気的切断を維持する。これにより、蓄電回路１１の電圧が装着物側無線通信部１３に印加された状態となる。もちろん、夜間電池１２は、装着物側無線通信部１３に対して電気的に切断された状態である。
【００６１】
そして、装着物側無線通信部１３は、蓄電回路１１の電圧に基づいて無線通信を行い（図４：Ｓ１０４）、昼間発信間隔に対応した待ち状態となり（図４：Ｓ１０５）、Ｓ１０６へ戻る。つまり、ユーザが日向の場所に居る限り、装着物側無線通信部１３の電力は、太陽電池１０の発電で賄われ、昼間の条件における無線通信の昼モードが継続される。更に、装着物側無線通信部１３が１回の発信処理を実行する度に、蓄電回路１１の電圧値Ｖが判定される。これにより、蓄電回路１１の電圧値Ｖを常時監視することが出来る。
【００６２】
そして、例えば、無線通信名札１を装着したユーザが、無線通信装置２に接近すれば、無線通信名札１の装着物側無線通信部１３は、無線通信装置２の装置側無線通信部２０と無線通信を行う。上述では、装着物側無線通信部１３が、ユーザ個人を特定する通信情報をビーコンで発信し、装置側無線通信部２０が、このビーコンを受信することで、無線通信装置２は、無線通信名札１を装着したユーザ個人を特定することが出来る。尚、上述では、装着物側無線通信部１３がビーコン発信機のＢＬＥモジュールを想定し、装置側無線通信部２０がビーコン受信機のＢＬＥモジュールを想定したが、装着物側無線通信部１３がビーコン受信機のＢＬＥモジュールを想定し、装置側無線通信部２０がビーコン発信機のＢＬＥモジュールを想定しても構わない。
【００６３】
さて、ユーザが、何らかの理由により、図７Ａに示すように、日向の場所から、光の少ない又は無い日陰の場所に入った場合、太陽電池１０に光が照射されない又は太陽電池１０の発電のための光量が足りないため、太陽電池１０の発電が一時的に停止する（瞬停）。この状態で、装着物側無線通信部１３が無線通信を継続すると、蓄電回路１１の電力が消費され、蓄電回路１１の電圧値Ｖが降圧する。
【００６４】
そして、ユーザが日陰の場所での滞在を継続し、蓄電回路１１の電圧値Ｖがモード閾電圧値Ｖｍ以下になると、Ｓ１０６において、モード判定部３０４は、ユーザが日陰の場所に滞在していると判定する（図４：Ｓ１０６ＮＯ）。
【００６５】
すると、無線通信名札１の時間判定部３０６は、蓄電回路１１の電圧値Ｖがモード閾電圧値Ｖｍ以下の状態での経過時間Ｅが所定の閾時間Ｅ０を超過したか否かを判定する。
【００６６】
ここで、閾時間Ｅ０は、メーカや管理者により適宜設定される。例えば、電圧値Ｖがモード閾電圧値Ｖｍ以下となった時点から装着物側無線通信部１３が蓄電回路１１の残電圧で無線通信することが出来る最大の時間に設定されると好ましい。これにより、ユーザが日陰の場所に一時的に入って太陽電池１０が瞬停したとしても、昼モードを維持し、蓄電回路１１の残電圧で装着物側無線通信部１３の無線通信を最大限行わせることが可能となる。又、蓄電回路１１の電圧値Ｖがモード閾電圧値Ｖｍ以下の状態での経過時間Ｅとは、蓄電回路１１の電圧値Ｖがモード閾電圧値Ｖｍ以下になってからの状態が継続した経過時間を意味し、蓄電回路１１の電圧値Ｖがモード閾電圧値Ｖｍ以下になった後に、再度、蓄電回路１１の電圧値Ｖがモード閾電圧値Ｖｍを超過した場合は、経過時間の計時は停止される。
【００６７】
さて、時間判定部３０６の判定方法に特に限定は無い。例えば、一度、蓄電回路１１の電圧値Ｖがモード閾電圧値Ｖｍ以下になった場合、カウント部３０２は、蓄電回路１１の電圧値Ｖがモード閾電圧値Ｖｍ以下になった時点から、蓄電回路１１の電圧値Ｖがモード閾電圧値Ｖｍ以下であるという判定結果が所定の時間間隔（ここでは、昼間発信間隔となる）で連続的になされると、当該判定結果の回数をカウントする。つまり、一度、蓄電回路１１の電圧値Ｖがモード閾電圧値Ｖｍ以下になった後も、モード判定部３０４は、前記蓄電回路１１の電圧値Ｖが所定のモード閾電圧値Ｖｍを超過したか否かの判定を所定の時間間隔で繰り返し、蓄電回路１１の電圧値Ｖがモード閾電圧値Ｖｍ以下であると連続的に判定すると、カウント部３０２は、その判定結果の回数をカウントし、時間判定部３０６は、カウント部３０２の回数を用いることで、蓄電回路１１の電圧値Ｖがモード閾電圧値Ｖｍ以下の状態での経過時間Ｅを取得する。
【００６８】
具体的には、カウント部３０２は、カウント値（ここでは、「０」）に「１」を追加することで、蓄電回路１１の電圧値Ｖがモード閾電圧値Ｖｍ以下であるという判定結果の回数をカウントする（図４：Ｓ１０７）。次に、時間判定部３０６は、カウント部３０２から判定結果の回数（ここでは、「１」）を取得するとともに、パラメータテーブル５００のパラメータ５０１の閾回数の値（例えば、「５」）５０２を取得し、判定結果の回数が閾回数を超過したか否かを判定する（図４：Ｓ１０８）。
【００６９】
判定の結果、判定結果の回数が閾回数以下の場合、時間判定部３０６は、ユーザの周囲の環境は未だ昼（又は朝）である（夜ではない）と判定する（図４：Ｓ１０８ＮＯ）。この場合は、太陽電池１０の発電による蓄電回路１１への電圧の供給は行われないものの、無線通信名札１の昼モード維持部３０５は、昼モードを維持する（図４：Ｓ１０８）。
【００７０】
ここで、昼モード維持部３０５の昼モードの維持方法は、上述と同様である。これにより、蓄電回路１１の残電圧が装着物側無線通信部１３に印加された状態が保たれる。このように、ユーザが一時的に日陰の場所に入って蓄電回路１１の電圧値Ｖが一時的にモード閾電圧値Ｖｍ以下になった場合であっても、ユーザが再度、日向の場所に戻る可能性も高いため、蓄電回路１１の残電圧で無線通信を行わせることで、昼モードを維持し、過去の太陽電池の発電を限りなく有効利用する。
【００７１】
又、上述した太陽電池１０の瞬停は、ユーザが日陰に入ったり、日向に対して背中を向けたりすることで、頻繁に生じ得る。この太陽電池１０の瞬停に対して、単純に、蓄電回路１１の電圧値Ｖがモード閾電圧値Ｖｍ以下になった場合に、昼モードから夜モード（後述）に切り替えると、ユーザの周囲の環境が昼（又は朝）であるにもかかわらず、簡単に夜モードに切り替わり、夜モードで使用される夜間電池１２の消耗を促進してしまう。又、後述するように、昼モードから夜モードに切り替わった後に、再度、昼モードに切り替わるためには、夜間での無線通信の処理が入り、所定の条件を満たさないと、昼モードに容易に戻らない。そして、夜モードでは、通常、夜間での無線通信であり、夜間発信間隔が長く、無線通信の途切れが生じる可能性がある。つまり、蓄電回路１１の電圧値Ｖがモード閾電圧値Ｖｍ以下になった場合であっても、ユーザの周囲の環境が本当に夜になったかどうかを確認する必要がある。
【００７２】
本発明では、蓄電回路１１の電圧値Ｖが一時的にモード閾電圧値Ｖｍ以下になった場合であっても、所定の閾時間Ｅ０以内であれば、昼モードを維持する。これにより、頻繁に太陽電池１０の瞬停が生じたとしても、前記閾時間Ｅ０以内に、再度、ユーザが日向に入って、蓄電回路１１の電圧値Ｖがモード閾電圧値Ｖｍを超えれば、ユーザの周囲の環境は未だ昼（又は朝）であると精度高く判定することが可能となる。ユーザの周囲の環境が未だ昼であるにもかかわらず、昼モードから夜モードに切り替わる等の誤動作を防止することが出来る。
【００７３】
特に、所在管理アプリケーションの場合、ユーザが光に対して背中を向ける（無線通信名札１を日陰にする）と、太陽電池１０の瞬停が生じ得るが、このような場合では、ユーザが直ぐに日向に戻る可能性が高いため、昼モードを維持し、昼間の条件で無線通信を継続することが出来る。又、徘徊老人向けの個人監視アプリケーションの場合、太陽電池１０の瞬停でも、昼モードを維持することで、夜モードでの夜間電池１２の消耗を防止することが出来る。
【００７４】
さて、装着物側無線通信部１３は、蓄電回路１１の残電圧に基づいて無線通信を行い（図４：Ｓ１１０）、発信状態から待ち状態となる（図４：Ｓ１１１）。そして、待ち状態になってからの経過時間が昼間発信間隔を経過すると、再び、Ｓ１０６に戻り、モード判定部３０４は、蓄電回路１１の電圧値Ｖがモード閾電圧値Ｖｍを超過したか否かを判定する（図４：Ｓ１０６）。
【００７５】
ここで、蓄電回路１１の電圧値Ｖがモード閾電圧値Ｖｍ以下となった状態が継続すると、待ち状態の昼間発信間隔が経過する毎に、カウント値の判定結果の回数が「１」だけ増加する。そのため、カウント値による経過時間の計時が可能であり、上述の経過時間Ｅは、昼間発信間隔に判定結果の回数を乗算した乗算値と定義され、上述の閾時間Ｅ０は、昼間発信間隔に閾回数を乗算した乗算値として定義される。従って、判定結果の回数が閾回数を超過した場合、経過時間Ｅが閾時間Ｅ０を超過したことを意味する。
【００７６】
ここで、ユーザが日陰の場所に入ってから、図７Ａに示すように、再度、日向の場所に入った場合、太陽電池１０の発電は再開し、蓄電回路１１の電圧値Ｖは昇圧する。そして、経過時間Ｅが閾時間Ｅ０以内で（図４：Ｓ１０８ＮＯ）、且つ、蓄電回路１１の電圧値Ｖがモード閾電圧値Ｖｍを超過した場合、Ｓ１０６において、モード判定部３０４は、ユーザが日向の場所に滞在していると判定する（図４：Ｓ１０６ＹＥＳ）。
【００７７】
この場合、蓄電回路１１の電圧に基づいて装着物側無線通信部１３は無線通信を継続できることから、カウント部３０２は、今までカウントしていたカウント値の判定結果の回数を「０」に設定し（図４：Ｓ１０２）、昼モード維持部３０５は、昼モードを維持する（図４：Ｓ１０３）。そして、装着物側無線通信部１３は、蓄電回路１１の電圧に基づいて無線通信を行い（図４：Ｓ１０４）、昼間発信間隔に対応して待ち状態となり（図４：Ｓ１０５）、Ｓ１０６へ戻る。つまり、日陰の場所に一時的に入ったユーザが日向の場所に戻ることで、再度、蓄電回路１１の電圧による無線通信を継続することが出来るため、装着物側無線通信部１３の電源を蓄電回路１１に維持し、夜モードへの切替や夜モードでの夜間電池１２の使用を回避することが出来る。
【００７８】
一方、昼間から夜間になり、図７Ｂに示すように、ユーザの周囲の環境が暗闇になった場合、太陽電池１０の発電は長時間再開されない。すると、蓄電回路１１の電圧値Ｖがモード閾電圧値Ｖｍ以下の状態がしばらく継続し、Ｓ１０８において、判定の結果、判定結果の回数が閾回数を超過する。つまり、経過時間Ｅが閾時間Ｅ０を超過する。この場合、時間判定部３０６は、ユーザの周囲の環境は夜である（昼ではない）と判定する（図４：Ｓ１０８ＮＯ）。そして、無線通信名札１の夜間使用判定部３０７は、予め設定された夜間使用情報が夜間使用を示すか否かを判定する（図４：Ｓ１１２）。
【００７９】
ここで、夜間使用判定部３０７の判定方法に特に限定は無い。例えば、夜間使用判定部３０７は、パラメータテーブル５００のパラメータ５０１の夜間使用情報の値５０２を取得する。夜間使用情報の値５０２は、メーカ又は管理者により予め設定され、例えば、夜間使用を示す場合、「１」に設定され、夜間使用を示さない場合（夜間不使用を示す場合）、「０」に設定される。夜間使用判定部３０７は、取得した夜間使用情報の値５０２が「１」か「０」かを判定する。
【００８０】
判定の結果、夜間使用情報の値５０２が「１」である（夜間使用情報が夜間使用を示す）場合、夜間使用判定部３０７は、装着物側無線通信部１３が夜間使用であると判定する（図４：Ｓ１１２ＹＥＳ）。この場合は、無線通信名札１のモード切替部３０８は、昼モードから、夜間電池１２の電圧を用いて装着物側無線通信部１３に無線通信させる夜モードに切り替える（図４：Ｓ１１３）。
【００８１】
ここで、夜モードとは、夜間電池１２の電圧を使用する態様であれば、特に限定は無い。例えば、夜モードは、蓄電回路１１の電圧値Ｖが所定の中間閾電圧値Ｖｉになるまで、当該蓄電回路１１の電圧を用い、蓄電回路１１の電圧値Ｖが中間閾電圧値Ｖｉ未満になると、夜間電池１２の電圧を用いる２段階の態様でも良い。その他に、夜モードは、蓄電回路１１の電圧値Ｖがどのような電圧値であっても、夜間電池１２の電圧のみを用いる１段階の態様でも良い。以下では、２段階の態様の夜モードの場合について説明する。
【００８２】
又、モード切替部３０８の夜モードの切替方法に特に限定は無い。例えば、モード切替部３０８は、メインスイッチ回路１４として機能し、第一のスイッチ１４ｃへの制御信号の入力により、第一のスイッチ１４ｃの電気的接続を維持し、第二のスイッチ１２ｃへのフィードバック信号の入力により、第二のスイッチ１２ｃの電気的切断を維持する。そして、モード切替部３０８は、蓄電回路１１の電圧値Ｖが、所定のメモリに予め記憶された中間閾電圧値Ｖｉ以下となったか否かを判定する。
【００８３】
判定の結果、蓄電回路１１の電圧値Ｖが中間閾電圧値Ｖｉを超える場合、モード切替部３０８は、夜モードを１段階目の態様にすると判定する。この場合は、蓄電回路１１の残電圧がそのまま装着物側無線通信部１３に印加され供給されるため、装着物側無線通信部１３は、蓄電回路１１の残電圧により無線通信する。
【００８４】
ここで、モード切替部３０８は、所定の周期で上述の判定を繰り返す。そして、装着物側無線通信部１３が無線通信を行うことで、蓄電回路１１の残電圧が降圧するため、蓄電回路１１の電圧値Ｖが中間閾電圧値Ｖｉ以下となった場合、モード切替部３０８は、夜モードを２段階目の態様にすると判定する。この場合は、モード切替部３０８は、制御信号を第一のスイッチ１４ｃに入力することで、第一のスイッチ１４ｃを電気的に切断する。又、モード切替部３０８は、フィードバックラインＦＬを経由して第一のスイッチ１２ａにフィードバック信号を入力することで、第二のスイッチ１２ｃを電気的に接続する。
【００８５】
これにより、太陽電池１１で発電不可能な環境では、夜間電池１２の電圧が装着物側無線通信部１３に印加される。又、モード切替部３０８は、蓄電回路１１を装着物側無線通信部１３の電源ラインＶに電気的に切断した状態にすることで、再度、太陽電池１１で発電可能な環境になった場合、蓄電回路１１に供給される電圧を装着物側無線通信部１３に逃がすことなく蓄電することが出来る。
【００８６】
さて、装着物側無線通信部１３は、蓄電回路１１の残電圧又は夜間電池１２の電圧に基づいて無線通信を行う（図４：Ｓ１１４）（夜モード）。これにより、図７Ｂに示すように、ユーザの周囲の環境が本当に夜になって、太陽電池１０の発電が不可能な場合に限り、蓄電回路１１の残電圧と夜間電池１２の電圧を利用し、無線通信を途絶えさせること無く確実に継続することが可能となる。
【００８７】
ここで、装着物側無線通信部１３は、夜間での無線通信の際に、パラメータテーブル５００のパラメータ５０１のうち、夜間発信間隔の値５０２を取得し、取得した値５０２を用いて無線通信のビーコンを発信する。上述のように、夜間発信間隔を昼間発信間隔よりも短く設定することで、夜間電池１２の消耗を遅延させ、夜間での無線通信の途絶えを防止する。
【００８８】
そして、夜間発信間隔に対応した待ち状態となり（図４：Ｓ１１５）、その後、モード判定部３０４は、夜モードにおいて、蓄電回路１１の電圧値Ｖがモード閾電圧値Ｖｍを超過したか否かを判定する（図４：Ｓ１１６）。
【００８９】
判定の結果、蓄電回路１１の電圧値Ｖがモード閾電圧値Ｖｍ以下の場合、モード判定部３０４は、ユーザの周囲の環境は昼（又は朝）ではない（夜である）と判定する（図４：Ｓ１１６ＮＯ）。すると、Ｓ１１４に戻って、装着物側無線通信部１３は、蓄電回路１１の残電圧又は夜間電池１２の電圧に基づいて無線通信を行い（図４：Ｓ１１４）、夜間発信間隔に対応した待ち状態となり（図４：Ｓ１１５）、モード判定部３０４は、上述の判定を繰り返す（図４：Ｓ１１６）。つまり、時間が経過して、ユーザの周囲の環境が夜から明るくなり、太陽電池１０の発電により無線通信が可能な状態になるまでは、蓄電回路１１の電圧を監視する。これにより、ユーザの周囲の環境を適切に判断し、その環境に合わせて夜間電池１２を使い分けることが可能となる。
【００９０】
さて、夜間電池１２の使用中において、図８Ａに示すように、ユーザの周囲の環境が夜間から朝になり、太陽電池１０の発電が再開し、蓄電回路１１の電圧値Ｖがモード閾電圧値Ｖｍを超過する。すると、Ｓ１１６において、モード判定部３０４は、ユーザの周囲の環境は昼（又は朝）である（夜ではない）と判定する（図４：Ｓ１１６ＹＥＳ）。すると、Ｓ１０２に戻って、カウント部３０２は、今までの判定結果の回数を「０」に設定し（図４：Ｓ１０２）、モード切替部３０８は、夜モードから、昼モードに切り替え、装着物側無線通信部１３を蓄電回路１１に電気的に接続する（図４：Ｓ１０３）。
【００９１】
具体的には、モード切替部３０８は、制御信号の入力により、第一のスイッチ１４ｃを電気的に接続し、フィードバック信号の入力により、第二のスイッチ１２ｃを電気的に切断する。これにより、夜間電池１２の電力消費を停止し、夜間電池１２の無駄な電力消費を抑えることが出来る。
【００９２】
そして、装着物側無線通信部１３は、蓄電回路１１の電圧に基づいて無線通信を行う（図４：Ｓ１０４）（昼モード）。このように、図８Ａに示すように、ユーザの周囲の環境が明るくなって、太陽電池１０の発電が可能な状態になれば、夜間電池１２の使用を停止し、夜モードから昼モードに切り替えて、太陽電池１０の発電で無線通信を継続することが可能となる。
【００９３】
ここで、装着物側無線通信部１３は、昼間での無線通信の際に、パラメータテーブル５００のパラメータ５０１のうち、昼間発信間隔の値５０２を取得し、取得した値５０２を用いて無線通信のビーコンを発信する。上述のように、昼間発信間隔を夜間発信間隔よりも短く設定することで、昼間での無線通信を確実にする。
【００９４】
そして、昼間発信間隔に対応した待ち状態となり（図４：Ｓ１０５）、Ｓ１０６に戻って、モード判定部３０４は、蓄電回路１１の電圧値Ｖがモード閾電圧値Ｖｍを超過したか否かを判定する（図４：Ｓ１０６）。このように、蓄電回路１１の使用に復帰しても、蓄電回路１１の電圧が監視される。
【００９５】
ところで、Ｓ１１２において、メーカ又は管理者により、夜間使用情報が夜間不使用を示すように設定されている場合は、下記のようになる。即ち、Ｓ１１２において、判定の結果、夜間使用情報の値５０２が「０」である（夜間使用情報が夜間不使用を示す）場合、夜間使用判定部３０７は、装着物側無線通信部１３が夜間不使用であると判定する（図４：Ｓ１１２ＮＯ）。この場合は、図８Ｂに示すように、モード切替部３０８は、昼モードを停止し、装着物側無線通信部１３を夜間電池１２に電気的に切断しておき、夜間電池１２を不使用の状態とする（図４：Ｓ１１７）。
【００９６】
具体的には、モード切替部３０８は、制御信号の入力により、第一のスイッチ１４ｃを電気的に切断し、フィードバック信号の入力により、第二のスイッチ１２ｃを電気的に切断する。このように、装着物側無線通信部１３に対して蓄電回路１１も夜間電池１２も電気的に切断することで、夜間電池１２の電圧の消耗を防止するとともに、蓄電回路１１の電圧を装着物側無線通信部１３に逃がすことなく蓄電した状態を保つことが出来る。
【００９７】
特に、社内で使用する個人監視アプリケーションでは、夜間で使用しない場合が多い。そのため、メーカ又は管理者が、夜間使用情報を夜間電池１２の不使用に設定し、無線通信名札１が、夜間になると、自動で無線通信を停止するように構成することで、無駄な無線通信を防止することが出来る。
【００９８】
尚、昼モードが停止されると、電源が投入されていない状態に戻るため、ユーザが、再度、無線通信名札１を使用する場合、無線通信名札１の太陽電池１０に光を照射させることで、太陽電池１０が発電し、Ｓ１０１に進む。これにより、電源判定部３０１が、蓄電回路１１の電圧値Ｖが電源閾電圧値Ｖｐを超過したか否かを判定することになる（図４：Ｓ１０１）。
【００９９】
本発明の実施形態では、時間判定部３０６は、カウント部３０２の判定結果の回数を経過時間にし、閾回数を閾時間にして、当該経過時間が前記閾時間を超過したか否かを判定したが、他の構成でも良い。例えば、時間判定部３０６は、蓄電回路の電圧値が昼モード閾電圧値以下になった場合、その時点からの経過時間をタイマー部で計時し、計時した経過時間が閾時間を超過したか否かを判定するよう構成しても良い。
【０１００】
又、本発明の実施形態では、時間判定部３０６とモード切替部３０８との間に夜間使用判定部３０７を設けるように構成したが、アプリケーションに応じて、夜間使用情報を無くし、夜間使用判定部３０７を省略しても良い。例えば、時間判定部３０６が、経過時間が閾時間を超過したと判定すると、モード切替部３０８は、昼モードから夜モードに切り替えるよう構成しても良い。
【０１０１】
又、本発明の実施形態では、夜間電池１２の電圧を特に監視しなかったが、夜間電池１２の電圧（電力）の有無により点灯するＬＥＤ等の点灯部を設けて、夜間電池１２の残電圧をユーザに知らせるよう構成しても良い。又、夜間電池１２の電圧値が所定の夜間閾電圧値以下になった場合に、夜間電池１２の残電圧が少なくなったことを知らせる報知部を設けても良い。夜間閾電圧値は、上述のように、電源閾電圧値であってもモード閾電圧値であっても良い。
【０１０２】
又、本発明の実施形態では、無線通信名札１が無線通信装置２と普通に無線通信を行うように構成したが、セキュリティを向上させるために、装着物側無線通信部１３と装置側無線通信部２０とのそれぞれに共通する暗号化部を搭載し、ビーコンの通信情報を暗号化した上で無線通信するよう構成しても良い。例えば、装着物側無線通信部１３は、情報（例えば、ＵＩＤの値）を暗号化部で暗号化して、暗号化した暗号化情報をビーコンで発信し、装置側無線通信部２０は、ビーコンを受信すると、ビーコンの暗号化情報を暗号化部で復号化して暗号化前の情報（ＵＩＤの値）を取り出す。暗号化部を有しない無線通信部がビーコンを受信して解析したとしても、ビーコンを復号化出来ないため、暗号化前の情報（ＵＩＤの値）を取得することは出来ない。このように、暗号化部を搭載することで、無線通信のセキュリティを更に向上させることが出来る。暗号化部に特に限定は無いが、例えば、ＦｅｌｉＣａ（登録商標）  ＬｉｎｋのＴ−ＤＥＳを採用することが出来る。これで、ユーザ個人を認証する場合は、チャレンジレスポンス認証を採用することが出来る。
【０１０３】
又、本発明の実施形態では、無線通信装着物が各部を備えるよう構成したが、当該各部を実現するプログラムを記憶媒体に記憶させ、当該記憶媒体を提供するよう構成しても構わない。当該構成では、プログラムをシステムの装置に読み出させ、当該装置が前記各部を実現する。その場合、記録媒体から読み出されたプログラム自体が本発明の作用効果を奏する。さらに、各部が実行するステップをハードディスクに記憶させる方法として提供することも可能である。
【産業上の利用可能性】
【０１０４】
以上のように、本発明に係る無線通信装着物及び無線通信方法は、所在管理アプリケーション、個人監視アプリケーション、ハンズフリーアプリケーション等のアプリケーションのみならず、太陽電池の発電により得られた電圧で無線通信するあらゆるアプリケーションに有用であり、太陽電池での発電が不十分な環境であっても、昼か夜かを適切に判定して、無線通信を途絶えることなく行うことが可能な無線通信装着物及び無線通信方法として有効である。
【符号の説明】
【０１０５】
１  無線通信装着物
１０  太陽電池
１１  蓄電回路
１２  夜間電池
１３  装着物側無線通信部
２  無線通信装置
２０  装置側無線通信部
３０１  電源判定部
３０２  カウント部
３０３  電源切替部
３０４  モード判定部
３０５  昼モード維持部
３０６  時間判定部
３０７  夜間使用判定部
３０８  モード切替部
【図１】
2019117521.tif 000003
【図２】
2019117521.tif 000004
【図３】
2019117521.tif 000005
【図４】
2019117521.tif 000006
【図５】
2019117521.tif 000007
【図６】
2019117521.tif 000008
【図７】
2019117521.tif 000009
【図８】
2019117521.tif 000010